(57)【要約】【課題】  吐止水操作部、流調操作部及び切替操作部を備えたシャワーヘッドにおいて、誤操作がなく操作性の優れたシャワーヘッドを提供する。【解決手段】  本体２４の一端に湯水を供給するホース２７が接続され、他端にはホース２７から供給される湯水を外部へ吐水する吐水口６１を有するシャワーヘッドＡにおいて、本体２４には湯水の吐水、止水を行なう吐止水操作部２５と、湯水の流量調節を行なう流調操作部２６と、湯水の吐水形態を切替える切替操作部６９とを備え、各操作部は互いに所定の間隔をおいて配置した。【選択図】  図２
2006177076.tif 000002
【特許請求の範囲】
【請求項１】
本体の一端に湯水を供給するホースが接続され、他端にはホースから供給される湯水を外部へ吐水する吐水口を有するシャワーヘッドにおいて、本体には湯水の吐水、止水を行なう吐止水操作部と、湯水の流量調節を行なう流調操作部と、湯水の吐水形態を切替える切替操作部とを備え、各操作部は互いに所定の間隔をおいて配置したことを特徴とするシャワーヘッド。
【請求項２】
前記吐止水操作部は湯水の通水方向の中央に配置し、ホースが接続される一端側に流調操作部を配置し、吐水口を有する他端側に切替操作部を配置したことを特徴とする請求項１記載のシャワーヘッド。
【請求項３】
前記吐止水操作部は押し込み操作式で、流調操作部は回転式としたことを特徴とする請求項１または請求項２に記載のシャワーヘッド。
【請求項４】
前記吐止水操作部は押し込み操作式で、切替操作部は回転式としたことを特徴とする請求項１乃至請求項３のうちのいずれか一項に記載のシャワーヘッド。
【発明の詳細な説明】
【技術分野】
【０００１】
この発明は、流し台，洗面台，浴室等で使用され、吐止水操作部、流調操作部及び切替操作部を備えたシャワーヘッドに関するものである。
【背景技術】
【０００２】
シャワーヘッドは例えば流し台、洗面台、浴室等で使用されるものであり、水栓で温度調節された湯水を外部へ吐水するものである。例えば流し台に装着された水栓にはホースの先端にシャワーヘッドが接続されており、水栓を使用する場合、シャワーヘッドをホースと共に水栓から引き出し、手でシャワーヘッドを握りながら作業を行なうことがあり、この時水栓ではなくシャワーヘッド自体に、湯水の止水，吐水を切替える吐止水操作部と湯水の流量を調節する流調操作部と湯水の吐水形態を切替える切替操作部とを備えていると、水栓まで手を伸ばさなくても手元で各操作を行なうことができ、便利である。この種のシャワーヘッドとして例えば特許文献１に開示された構成が公知である。この特許文献１に開示されたシャワーヘッドにおいては、吐水口からの吐水と止水の切替を行なうための吐止水操作部と、吐水口からの吐水流量を調節する流調操作部と、吐水口からの吐水形態を整流吐水からシャワー吐水に、若しくはその逆に切替操作する切替操作部とが備えられている。
【０００３】
【特許文献１】特開２００１−９５７１０号公報
【発明の開示】
【発明が解決しようとする課題】
【０００４】
前記特許文献１においては、吐止水操作部と流調操作部とは同軸上に配置されている。従って、吐水口から湯水を吐水中に吐止水操作部を操作して吐水状態から止水状態とする場合に、間違って流調操作部に手が触れ、いきなり大流量の湯水が吐水口から吐水されてしまったり、湯水の流量を調節するため流調操作部を操作する場合に、間違って吐止水操作部に手が触れ止水状態となってしまうことがあり、誤操作の発生しやすいものであった。
しかも３つの各操作部は同一方向を向いているうえ、互いに接近しているため、誤操作を招きやすいものであった。
【０００５】
この発明は、このような従来の技術に存在する問題点に着目してなされたものであり、その課題は、吐止水操作部、流調操作部及び切替操作部を備えたシャワーヘッドにおいて、誤操作がなく操作性の優れたシャワーヘッドを提供することである。
【課題を解決するための手段】
【０００６】
上記課題を達成するため、請求項１記載の発明では、本体の一端に湯水を供給するホースが接続され、他端にはホースから供給される湯水を外部へ吐水する吐水口を有するシャワーヘッドにおいて、本体には湯水の吐水、止水を行なう吐止水操作部と、湯水の流量調節を行なう流調操作部と、湯水の吐水形態を切替える切替操作部とを備え、各操作部は互いに所定の間隔をおいて配置したことを特徴とするものである。
【０００７】
請求項２に記載の発明では請求項１記載のシャワーヘッドにおいて、前記吐止水操作部は湯水の通水方向の中央に配置し、ホースが接続される一端側に流調操作部を配置し、吐水口を有する他端側に切替操作部を配置したものである。
【０００８】
請求項３に記載の発明では請求項１または請求項２記載のシャワーヘッドにおいて、前記吐止水操作部は押し込み操作式で、流調操作部は回転式としたことを特徴とするものである。
【０００９】
請求項４に記載の発明では請求項１乃至請求項３のうちのいずれか一項に記載のシャワーヘッドにおいて、前記吐止水操作部は押し込み操作式で、切替操作部は回転式としたことを特徴とするものである。
【発明の効果】
【００１０】
本発明の請求項１記載の発明では、シャワーヘッドの各操作部は互いに所定の間隔をおいて配置したので、各操作部のうちいずれか一つの操作部を操作する際に、他の操作部に触れて誤操作することがなく、安心して使用できる。
【００１１】
請求項２に記載の発明では、頻繁に使用される吐止水操作部を操作しやすい中央に配置し、他の操作部と所定の間隔をおいて配置することで、誤操作を防止できる。また各操作部を湯水の流路に沿って順に配置することで、コンパクトにすることができる。
【００１２】
請求項３または請求項４に記載の発明では、隣り合う互いの操作部は操作方向が異なるので、各操作部が明確であり他の操作部と容易に識別でき、誤操作を防止できる。
【発明を実施するための最良の形態】
【００１３】
以下、本発明を具体化した実施形態を図に基づいて詳細に説明する。
【実施例】
【００１４】
図１に示すように、キッチンの流し台１１におけるシンク１２の近傍において、流し台１１の水栓設置部としての天板１３には混合水栓２１が立設固定されている。混合水栓２１は、円筒状をなす水栓本体２２において前記天板１３の開口１３ａに対応するように立設されている。水栓本体２２の上端には逆Ｕ字状をなす吐出管２３が水平面内において回動可能に連結され、吐出管２３の内部にはホース２７が挿通されて、ホース２７の先端には本発明のシャワーヘッドＡが接続されている。
【００１５】
図２に示すように、前記シャワーヘッドＡはその本体２４に、吐止水操作部２５と流調操作部２６と切替操作部６９とを備えている。そして、吐止水操作部２５により湯水の流路を開閉することにより、後述するように、このホース２７からの冷水、温水、混合水のいずれかがシャワーヘッドＡの先端に装着された吐水口６１から吐出される。また、流調操作部２６を回転操作することにより、冷水、温水、混合水の吐出水量を調節できる。さらに、切替操作部６９を回転操作することにより、湯水の吐水形態を直流または散水に切替えることができる。
【００１６】
前記水栓本体２２はその下端部に給水管３１及び給湯管３２が接続され、内部には給水管３１及び給湯管３２から供給される水と湯とを混合するための温度調節バルブ４１が収容固定されており、この温度調節バルブ４１は温度調節用のハンドル５３が固定されている。
【００１７】
図３乃至図６に示すように、前記シャワーヘッドＡはその本体２４の内部に、前記ホース２７と連通する給水通路６０が形成されている。
図３乃至図７に示すように、前記給水通路６０の吐出側の端部には吐水口６１が設けられている。この吐水口６１には、切替バルブシート部材６２がシャワーヘッド２４の先端内周に螺着した固定座６３を介して固定されており、この切替バルブシート部材６２には、一対の貫通孔６４が１８０度隔てて形成されている。前記固定座６３には、切替バルブ６５がその軸線を中心に回動可能に支持され、この切替バルブ６５には、一対の貫通孔６６が１８０度隔てて形成されるとともに、切欠通路６７が形成されている。この切替バルブ６５は、給水の吐出ノズルの機能を兼備し、その内側には整流等の目的のために網体６８が設けられている。前記固定座６３の外周には切替操作部６９が回転操作可能に支持され、この切替操作部６９は前記切替バルブ６５に固定されている。切替操作部６９には複数の散水孔７０が形成されるとともに、切替バルブ６５と固定座６３との間には、前記切欠通路６７及び前記散水孔７０と連通するシャワー通路７１が形成されている。
【００１８】
そして、切替操作部６９を回転操作することにより、切替バルブ６５が回動される。この回動により、図３乃至図５に示すように、前記貫通孔６４，６６が相互に対応したときには、給水通路６０からの給水がこの貫通孔６４，６６を介して切替バルブ６５内に至り、この切替バルブ６５の先端開口から直流状に吐出される。また、切替操作部６９の回動により、図６に示すように、貫通孔６４，６６の対応関係が外れた場合には、貫通孔６４からの給水が前記切欠通路６７から切替バルブ６５と固定座６３との間のシャワー通路７１を通り、前記散水孔７０からシャワー状に吐水される。
【００１９】
図３乃至図６に示すように、前記吐水口６１の上流側には吐止水機構８１が設けられている。この吐止水機構８１において、ケーシング８２の内部にはバルブ体８３がその軸線に沿って進退可能に収容されて、バルブシート８４に対して接離可能に対応している。バルブ体８３は、スプリング８５によりバルブシート８４に向かって付勢されている。バルブ体８３には前記吐止水操作部２５が連結されている。吐止水操作部２５は前記切替操作部６９とは所定の間隔、即ち同時に指が触れない程度の間隔をおいて配置されている。この吐止水操作部２５と、吐止水操作部２５を支持するケース８６との間には、公知のラッチ機構８７が介装されている。
【００２０】
そして、前記ラッチ機構８７の作用により、吐止水操作部２５及びバルブ体８３は、吐止水操作部２５を押し込み操作するごとに、バルブ体８３がバルブシート８４に接する閉鎖位置と、バルブシート８４から離れる開放位置とに交互に配置される。従って、図５に示す閉鎖位置においては、給水通路６０が閉じられ、図３，図４及び図６に示す開放位置においては、給水通路６０が開放されて吐水が行なわれる。
【００２１】
図３乃至図６，図８及び図９に示すように、前記吐止水機構８１の上流側には流量調節機構９０が設けられている。すなわち、この流量調節機構９０において、シャワーヘッドＡの基端の中心には軸９１が突設されるとともに、その外側には突起９２が突設され、さらに、流路９３が貫通している。また、シャワーヘッドＡの本体２４にはジョイント９４がピン９７により固定され、このジョイント９４には前記流路９３と連通する流路９４ａが形成されている。前記ジョイント９４と本体２４との間に流調操作部２６が設けられている。流調操作部２６は前記切替操作部６９とは所定の間隔、即ち同時に指が触れない程度の間隔をおいて配置されている。この流調操作部２６は、シャワーヘッドＡの基端に形成された段差部９５の外周に回動可能に支持されるとともに、その軸心部に形成された軸孔９６が前記軸９１に嵌合されている。流調操作部２６には、前記突起９２が収容される規制凹部９８が形成されるとともに、前記流路９３と対応する流路９９が透設されている。そして、図９（ａ）（ｂ）に示すように、突起９２と規制凹部９８との係合関係により、流調操作部２６の回動範囲が規制される。前記段差部９５に形成された溝１００にはクリックバネ１０１が収容固定され、その外周には鋸刃状の突起１０２が形成されている。前記流調操作部２６の内周面の所定の角度範囲には、複数の鋸刃状の凹部１０３が列設され、前記突起１０２がこの凹部１０３に係合して、流調操作部２６の回転位置がクリック感覚をともなって弾性的に保持される。
【００２２】
そして、図４乃至図７及び図９（ａ）（ｂ）に示すように、流調操作部２６を回動調節することにより、流路９３，９９の対応関係が変化して、同流路９３，９９間の開口面積が調整され、これによって給水ホース２７からシャワーヘッドＡへの給水量が調節される。
【００２３】
次に、この実施形態のシャワーヘッドＡの作用を説明する。
シャワーヘッドＡの本体２４を手で握り、吐止水操作部２５を押し込み操作すると、図３に示すように吐止水機構８１が開放状態になり、給水管３１及び給湯管３２からの冷水及び温水が、水栓本体２２の温度調節バルブ４１内で混合されて、その湯水が流量調節機構９０の設定に従った供給量となるようにホース２７を介して吐水口６１から吐水される。
【００２４】
湯水の吐水量を調節するには、吐止水操作部２５とは所定の間隔をおいて配置されている流調操作部２６を回転操作することにより、流路９３，９９の対応関係が変化して、同流路９３，９９間の開口面積が調整され、これによってホース２７から吐水口６１へ供給される給水量が調節される。
【００２５】
湯水の吐水形態を図３に示す直流吐水からシャワー吐水へ変更するには、吐止水操作部２５とは所定の間隔をおいて配置されている切替操作部６９を回転操作する。この回転操作により、図６に示すように、貫通孔６４，６６の対応関係が外れた場合には、貫通孔６４からの給水が前記切欠通路６７から切替バルブ６５と固定座６３との間のシャワー通路７１を通り、前記散水孔７０からシャワー状に吐水される。
【００２６】
以上のように、この実施形態においては、以下のような効果を発揮する。
シャワーヘッドの各操作部は互いに所定の間隔をおいて配置したので、各操作部のうちいずれか一つの操作部を操作する際に、他の操作部に触れて誤操作することがなく、安心して使用できる。
【００２７】
頻繁に使用される吐止水操作部を操作しやすい中央に配置し、他の操作部と所定の間隔をおいて配置することで、誤操作を防止できる。また各操作部を湯水の流路に沿って順に配置することで、コンパクトにすることができる。
【００２８】
隣り合う互いの操作部は操作方向が異なるので、各操作部が明確であり他の操作部と容易に識別でき、誤操作を防止できる。
【図面の簡単な説明】
【００２９】
【図１】この発明のシャワーヘッドを備えた混合水栓が取り付けられた流し台を示す斜視図。
【図２】シャワーヘッドを備えた混合水栓を示す縦断面図。
【図３】直流吐出状態を示す吐出口部分の断面図。
【図４】小流量状態を示す吐出口部分の断面図。
【図５】吐出遮断状態を示す吐出口部分の断面図。
【図６】シャワー水吐出状態を示す吐出口部分の断面図。
【図７】切替機構を示す分解斜視図。
【図８】吐出口本体部分を示す分解斜視図。
【図９】（ａ）は最大流量状態を示す流量調節機構の断面図。（ｂ）は最小流量状態を示す流量調節機構の断面図。
【符号の説明】
【００３０】
２４  ：  本体
２５  ：  吐止水操作部
２６  ：  流調操作部
２７  ：  ホース
６１  ：  吐水口
６９  ：  切替操作部
Ａ    ：  シャワーヘッド
【図１】
2006177076.tif 000003
【図２】
2006177076.tif 000004
【図３】
2006177076.tif 000005
【図４】
2006177076.tif 000006
【図５】
2006177076.tif 000007
【図６】
2006177076.tif 000008
【図７】
2006177076.tif 000009
【図８】
2006177076.tif 000010
【図９】
2006177076.tif 000011